【手続補正書】
【提出日】平成31年1月24日(2019.1.24)
【手続補正１】
【補正対象書類名】特許請求の範囲
【補正対象項目名】全文
【補正方法】変更
【補正の内容】
【特許請求の範囲】
【請求項１】
ビデオデータを符号化または復号する方法であって、
逆適応色変換（ＩＡＣＴ）への入力を、（ｉ）１６ビットと、（ｉｉ）予測ピクセルのビット深度＋ある値に等しいビット深度とのうちの最大値にクリッピングすることと、ここで、前記ある値は４よりも大きいかまたはそれに等しく、前記ある値は３２−前記予測ピクセルの前記ビット深度よりも小さいかまたはそれに等しく、前記ＩＡＣＴへの前記入力は第１の残差データである、
前記クリッピングされた入力に前記ＩＡＣＴを適用することに少なくとも部分的によって第２の残差データを生成することと、
前記第２の残差データに基づいて、前記ビデオデータのコーディングユニット（ＣＵ）のコーディングブロックを再構成することと
を備える、方法。
【請求項２】
前記予測ピクセルは第１の予測ピクセルであり、前記ＩＡＣＴへの前記入力は前記ＩＡＣＴへの第１の入力であり、前記ＣＵは第１のＣＵであり、前記第１の入力をクリッピングすることは、
前記予測ピクセルの前記ビット深度が特定の値よりも小さいかまたはそれに等しいことに基づいて、前記第１の残差データのビット深度を１６ビットに保持することと、前記方法は、
前記ＩＡＣＴへの第２の入力を、（ｉ）１６と、（ｉｉ）第２の予測ピクセルのビット深度＋、４よりも大きいかまたはそれに等しく３２−前記第２の予測ピクセルの前記ビット深度よりも小さいかまたはそれに等しい値、に等しいビット深度とのうちの最大値にクリッピングすること、ここにおいて、前記ＩＡＣＴへの前記第２の入力は第３の残差データである、
をさらに備え、前記第２の入力をクリッピングすることは、前記第２の予測ピクセルの前記ビット深度が前記特定の値よりも大きいことに基づいて、前記第３の残差データにクリッピング演算を適用することと、
前記クリッピングされた第２の入力に前記ＩＡＣＴを適用することに少なくとも部分的によって第４の残差データを生成することと、
前記第４の残差データに基づいて、前記ビデオデータの第２のコーディングユニット（ＣＵ）のコーディングブロックを再構成することと
を備える、請求項１に記載の方法。
【請求項３】
前記特定の値は１２である、請求項２に記載の方法。
【請求項４】
前記第１の残差データを生成するために逆クロス成分予測（ＩＣＣＰ）変換を適用することをさらに備える、請求項１に記載の方法。
【請求項５】
前記第１の残差データを生成するために変換領域からサンプル領域への逆変換を適用することをさらに備える、請求項１に記載の方法。
【請求項６】
前記逆変換は逆離散コサイン変換である、請求項５に記載の方法。
【請求項７】
ワイヤレス通信デバイス上で実行可能であり、ここにおいて、前記ワイヤレス通信デバイスは、
前記ビデオデータを記憶するように構成されたメモリと、
前記メモリに記憶された前記ビデオデータを処理するための命令を実行するように構成されたプロセッサと、
前記ビデオデータの符号化表現を備えるビットストリームを送信するように構成された送信機、前記ビデオデータの前記符号化表現が前記ＣＵの符号化表現を備える、または    前記ビデオデータの前記符号化表現を備える前記ビットストリームを受信するように構成された受信機
のうちの少なくとも１つと
を備える、請求項１に記載の方法。
【請求項８】
前記ワイヤレス通信デバイスはセルラー電話であり、
前記ビットストリームはセルラー通信規格に従って変調され、
前記ビットストリームは前記送信機によって送信される、または
前記ビットストリームは前記受信機によって受信される
のうちの少なくとも１つ、
請求項７に記載の方法。
【請求項９】
前記入力をクリッピングすることは、
前記予測ピクセルの前記ビット深度が特定の値よりも大きいことに基づいて、前記第１の残差データにクリッピング演算を適用すること
を備える、請求項１に記載の方法。
【請求項１０】
ビデオデータを符号化または復号するためのデバイスであって、
前記ビデオデータを記憶するように構成されたメモリと、
逆適応色変換（ＩＡＣＴ）への入力を、（ｉ）１６ビットと、（ｉｉ）予測ピクセルのビット深度＋ある値に等しいビット深度とのうちの最大値にクリッピングすることと、ここで、前記ある値は４よりも大きいかまたはそれに等しく、前記ある値は３２−前記予測ピクセルの前記ビット深度よりも小さいかまたはそれに等しく、前記ＩＡＣＴへの前記入力は第１の残差データである、
前記クリッピングされた入力に前記ＩＡＣＴを適用することに少なくとも部分的によって第２の逆変換された残差データを生成することと、
前記第２の逆変換された残差データに基づいて、前記ビデオデータのコーディングユニット（ＣＵ）のコーディングブロックを再構成することと
を行うように構成された１つまたは複数のプロセッサと
を備える、デバイス。
【請求項１１】
前記１つまたは複数のプロセッサは、前記入力をクリッピングすることの一部として、前記１つまたは複数のプロセッサが、
前記予測ピクセルの前記ビット深度が特定の値よりも小さいかまたはそれに等しいことに基づいて、前記第１の残差データのビット深度を１６ビットに保持することと、
前記予測ピクセルの前記ビット深度が前記特定の値よりも大きいことに基づいて、前記第１の残差データにクリッピング演算を適用することと
を行うように構成された、請求項１０に記載のデバイス。
【請求項１２】
前記特定の値は１２である、請求項１１に記載のデバイス。
【請求項１３】
前記１つまたは複数のプロセッサは、前記第１の残差データを生成するために逆クロス成分予測（ＩＣＣＰ）変換を適用するように構成された、請求項１０に記載のデバイス。
【請求項１４】
前記１つまたは複数のプロセッサは、前記第１の残差データを生成するために変換領域からサンプル領域への逆変換を適用するように構成された、請求項１０に記載のデバイス。
【請求項１５】
前記逆変換は逆離散コサイン変換である、請求項１４に記載のデバイス。
【請求項１６】
前記１つまたは複数のプロセッサに通信可能に結合された送信機、前記送信機が、前記ビデオデータの符号化表現を備えるビットストリームを送信するように構成され、前記ビデオデータの前記符号化表現が前記ＣＵの符号化表現を備える、または
前記１つまたは複数のプロセッサに通信可能に結合された受信機、前記受信機が、前記ビデオデータの前記符号化表現を備える前記ビットストリームを受信するように構成された、
のうちの少なくとも１つをさらに備える、ワイヤレス通信デバイスである、請求項１０に記載のデバイス。
【請求項１７】
前記ワイヤレス通信デバイスはセルラー電話であり、
前記ビットストリームはセルラー通信規格に従って変調され、
前記ビットストリームは前記送信機によって送信される、または
前記ビットストリームは前記受信機によって受信される
のうちの少なくとも１つ、
請求項１６に記載のデバイス。
【請求項１８】
ビデオデータを符号化または復号するためのデバイスであって、
逆適応色変換（ＩＡＣＴ）への入力を、（ｉ）１６ビットと、（ｉｉ）予測ピクセルのビット深度＋ある値に等しいビット深度とのうちの最大値にクリッピングするための手段と、ここで、前記ある値は４よりも大きいかまたはそれに等しく、前記ある値は３２−前記予測ピクセルの前記ビット深度よりも小さいかまたはそれに等しく、前記ＩＡＣＴへの前記入力は第１の残差データである、
前記クリッピングされた入力に前記ＩＡＣＴを適用することに少なくとも部分的によって第２の残差データを生成するための手段と、
前記第２の逆変換された残差データに基づいて、前記ビデオデータのコーディングユニット（ＣＵ）のコーディングブロックを再構成するための手段と
を備える、デバイス。
【請求項１９】
前記入力をクリッピングするための前記手段は、
前記予測ピクセルの前記ビット深度が特定の値よりも小さいかまたはそれに等しいことに基づいて、前記第１の残差データのビット深度を１６ビットに保持するための手段と、
前記予測ピクセルの前記ビット深度が前記特定の値よりも大きいことに基づいて、前記第１の残差データにクリッピング演算を適用するための手段と
を備える、請求項１８に記載のデバイス。
【請求項２０】
前記特定の値は１２である、請求項１９に記載のデバイス。
【請求項２１】
前記第１の残差データを生成するために逆クロス成分予測（ＩＣＣＰ）変換を適用するための手段をさらに備える、請求項１８に記載のデバイス。
【請求項２２】
前記第１の残差データを生成するために変換領域からサンプル領域への逆変換を適用するための手段をさらに備える、請求項１８に記載のデバイス。
【請求項２３】
前記逆変換は逆離散コサイン変換である、請求項２２に記載のデバイス。
【請求項２４】
命令を記憶したコンピュータ可読記憶媒体であって、前記命令は実行されたとき、ビデオデータを符号化または復号するためのデバイスの１つまたは複数のプロセッサに、
逆適応色変換（ＩＡＣＴ）への入力を、（ｉ）１６ビットと、（ｉｉ）予測ピクセルのビット深度＋ある値に等しいビット深度とのうちの最大値にクリッピングすることと、ここで、前記ある値は４よりも大きいかまたはそれに等しく、前記ある値は３２−前記予測ピクセルの前記ビット深度よりも小さいかまたはそれに等しく、前記ＩＡＣＴへの前記入力は第１の残差データである、
前記クリッピングされた入力に前記ＩＡＣＴを適用することに少なくとも部分的によって第２の残差データを生成することと、
前記第２の残差データに基づいて、前記ビデオデータのコーディングユニット（ＣＵ）のコーディングブロックを再構成することと
を行わせる、コンピュータ可読記憶媒体。
【請求項２５】
前記命令は、
前記予測ピクセルの前記ビット深度が特定の値よりも小さいかまたはそれに等しいことに基づいて、前記第１の残差データのビット深度を１６ビットに保持することと、
前記予測ピクセルの前記ビット深度が前記特定の値よりも大きいことに基づいて、前記第１の残差データにクリッピング演算を適用することと
を前記１つまたは複数のプロセッサに行わせることに部分的によって、前記入力をクリッピングすることを前記１つまたは複数のプロセッサに行わせる、請求項２４に記載のコンピュータ可読記憶媒体。
【手続補正２】
【補正対象書類名】明細書
【補正対象項目名】００９８
【補正方法】変更
【補正の内容】
【００９８】
[0113]  ビデオエンコーダ２０とビデオデコーダ３０の両方について、第６の例では、残差データ２９２のそれぞれのサンプル値ごとに、制約は、それぞれのサンプル値の解像度を、予め定義された値（例えば、１５）、またはＣＵの元のサンプル値の解像度に依存する値（Ｂ＋ｎ５）のうちのより大きいどちらかに限定し得る。この例では、ＣＵの元のサンプル値の解像度に依存する値は、ＣＵの元のサンプル値の解像度＋ある値（例えば、ｎ５）に等しいもので、ある値は３よりも大きいかまたはそれに等しく３２−ＣＵの元のサンプル値の解像度よりも小さいかまたはそれに等しいものである（例えば、ｎ５≧３およびｎ５≦３２−Ｂ）。いくつかの事例では、予め定義された値は、１６に等しいか、または特定の実施形態のために必要な精度に等しい別の値に等しい。
【手続補正３】
【補正対象書類名】明細書
【補正対象項目名】０１０５
【補正方法】変更
【補正の内容】
【０１０５】
[0119]  本開示の第７の例では、ビデオエンコーダ２０とビデオデコーダ３０の両方について、残差データ２９４のそれぞれのサンプル値ごとに、制約は、それぞれのサンプル値の解像度を、予め定義された値（例えば、１６）、またはＣＵの元のサンプル値の解像度に依存する値（例えば、Ｂ＋ｎ４）のうちのより大きいどちらかに限定する。さらに、ＣＵの元のサンプル値の解像度に依存する値は、ＣＵの元のサンプル値の解像度＋ある値に等しいものであり得、ある値は３よりも大きいかまたはそれに等しく３２−ＣＵの元のサンプル値の解像度よりも小さいかまたはそれに等しいものである。